(57)【要約】【課題】従来よりも高い高周波の位相精密調整可能であり、位相精密調整を長期間維持出来、構成簡素で安価である、同軸ケーブル接続／位相調整装置を提供することである。【解決手段】この同軸ケーブル接続／位相調整装置では、第１コネクタ要素１０の外導体１０ｃの雄ねじに第２コネクタ要素１２の回転自在な外導体１２ｃの雌ねじを螺合させるとともに第１コネクタ要素の中空状中心導体の中心孔に第２コネクタ要素の棒状中心導体を挿入させることにより第１及び第２コネクタ要素が相互に電気的に接続され、この間に第１コネクタ要素の外導体の外周面において雄ねじの基端部の外方張り出し部１０ｄと第２コネクタ要素の外導体の先端との間に相互に異なる所定厚さの複数枚のスペーサ１４ａ，１４ｂ，１４ｃ，１４ｄの所望の組み合わせを挟持させて、中空状中心導体の中心孔への棒状中心導体の挿入深さを調節し高周波の位相精密調整を行なう。【選択図】    図５
2009245619.tif 000002
【特許請求の範囲】
【請求項１】
第１同軸ケーブルに接続される同軸ケーブル接続部と、第１同軸ケーブルの中心導体に電気的に接続され同軸ケーブル接続部から軸方向に突出した中空状中心導体と、第１同軸ケーブルの外導体に電気的に接続され同軸ケーブル接続部から軸方向に突出し中空状中心導体を同心的に取り囲み外周面に雄ねじが形成されている雄ねじ付き外導体と、雄ねじ付き外導体の外周面の基部に設けられ雄ねじ付き外導体の半径方向の外方に張り出した外方張り出し部と、を含む第１コネクタ要素と；
第２同軸ケーブルに接続される同軸ケーブル接続部と、第２同軸ケーブルの中心導体に電気的に接続され同軸ケーブル接続部から軸方向に突出した棒状中心導体と、第２同軸ケーブルの外導体に電気的に接続され同軸ケーブル接続部から軸方向に突出し棒状中心導体を同心的に取り囲み内周面に雌ねじが形成されていて棒状中心導体に対し同心的に回転自在な雌ねじ付き外導体と、同軸ケーブル接続部の外周面に雌ねじ付き外導体の基端に対し接離自在に螺合された回り止めと、を含んでおり、雌ねじ付き外導体の雌ねじを第１コネクタ要素の雄ねじ付き外導体の雄ねじに螺合させるとともに棒状中心導体を第１コネクタ要素の中空状中心導体の中央孔に挿入して第１コネクタ要素と電気的に接続される第２コネクタ要素と；
相互に異なる所定の厚さを有しており、所望の所定の厚さを提供する１枚又は複数枚の組み合わせが、第１コネクタ要素と第２コネクタ要素とが相互に電気的に接続されている間に第１コネクタ要素の雄ねじ付き外導体の外周面において外方張り出し部と第２コネクタ要素の雌ねじ付き外導体の先端との間に配置されて外方張り出し部と第２コネクタ要素の雌ねじ付き外導体の先端とに挟持される複数枚のスペーサと；
を備えていて、
第２コネクタ要素において回り止めが雌ねじ付き外導体の基端を押圧して雌ねじ付き外導体の回転移動を阻止する、ことを特徴とする同軸ケーブル接続／位相調整装置。
【請求項２】
複数枚のスペーサの夫々は環形状を有していることを特徴する請求項１に記載の同軸ケーブル接続／位相調整装置。
【請求項３】
複数枚のスペーサの夫々は環形状の一部が切り欠かれた形状を有していることを特徴する請求項１に記載の同軸ケーブル接続／位相調整装置。
【発明の詳細な説明】
【技術分野】
【０００１】
この発明は、高周波用の２本の同軸ケーブルを接続するとともに２本の同軸ケーブルを流れる高周波の位相を調整する同軸ケーブル接続／位相調整装置に関係している。
【背景技術】
【０００２】
高周波用の２本の同軸ケーブルを接続する場合には２本の同軸ケーブルを流れる高周波の位相を調整する必要がある。従来の同軸ケーブル接続／位相調整装置では、装置内における導電線路長を何等かの方法により変化させることにより上述した位相の調整が行なわれている。
【０００３】
例えば、特開２００５−１７５７９２号公報（特許文献１）に記載されている同軸ケーブル接続／位相調整装置では、装置内における導電線路中に外部導体４が介在されることにより上記導電線路長が変更される。
【０００４】
また、特開平５−３２６０７６号公報（特許文献２）に記載されている同軸ケーブル接続／位相調整装置では、第一ボディ部材２が第二ボディ部材３に対し長手方向に摺動することにより上記導電線路長が変更される。
【０００５】
特開２００３−７４０６号公報（特許文献３）に記載されている同軸ケーブル接続／位相調整装置では、装置内にインシュレータ片３１を組み込むことで装置内における導電線路内の実効誘電率を変化させて、電気的な線路長を変化させている。
【０００６】
同軸ケーブル接続／位相調整装置は、そこを流れる高周波の周波数が高くなればなるほど位相の精密な調整が必要になる。しかも、使用中に長期間にわたり位相の精密な調整を維持できることも必要である。さらに、構成が簡素で安価であることも望まれている。
【特許文献１】特開２００５−１７５７９２号公報
【特許文献２】特開平５−３２６０７６号公報
【特許文献３】特開２００３−７４０６号公報
【発明の開示】
【発明が解決しようとする課題】
【０００７】
特開２００５−１７５７９２号公報（特許文献１）に記載されている同軸ケーブル接続／位相調整装置では、外部導体４及び外部導体４を介在させる為の構造が複雑である。そして、位相の精密な調整を容易に行なうことが出来ない。
【０００８】
特開平５−３２６０７６号公報（特許文献２）に記載されている同軸ケーブル接続／位相調整装置では、前述した摺動の量と位相の変化量との関係が一見してわからず、前述した摺動にともなう上記位相の変化量は同軸ケーブルに接続した独立した測定器により行なわなければならない。従って、位相の精密な調整に要する作業が煩雑である。
【０００９】
特開２００３−７４０６号公報（特許文献３）に記載されている同軸ケーブル接続／位相調整装置では、外部導体４を装置内における導電線路内に介在させる特開２００５−１７５７９２号公報（特許文献１）に記載されている同軸ケーブル接続／位相調整装置の場合と同様に、インシュレータ片３１及びインシュレータ片３１を介在させる為の構造が複雑である。そして、位相の精密な調整を容易に行なうことが出来ない。
【００１０】
この発明は、上記事情の下でなされ、この発明の目的は、従来よりも高い周波数の高周波の位相の精密な調整を容易に行なうことが出来、しかも使用中に長期間にわたり位相の精密な調整を維持することが出来、さらには構成が簡素で安価である、同軸ケーブル接続／位相調整装置を提供することである。
【課題を解決するための手段】
【００１１】
この発明の上述した目的を達成するために、この発明に従った同軸ケーブル接続／位相調整装置は：第１同軸ケーブルに接続される同軸ケーブル接続部と、第１同軸ケーブルの中心導体に電気的に接続され同軸ケーブル接続部から軸方向に突出した中空状中心導体と、第１同軸ケーブルの外導体に電気的に接続され同軸ケーブル接続部から軸方向に突出し中空状中心導体を同心的に取り囲み外周面に雄ねじが形成されている雄ねじ付き外導体と、雄ねじ付き外導体の外周面の基部に設けられ雄ねじ付き外導体の半径方向の外方に張り出した外方張り出し部と、を含む第１コネクタ要素と；第２同軸ケーブルに接続される同軸ケーブル接続部と、第２同軸ケーブルの中心導体に電気的に接続され同軸ケーブル接続部から軸方向に突出した棒状中心導体と、第２同軸ケーブルの外導体に電気的に接続され同軸ケーブル接続部から軸方向に突出し棒状中心導体を同心的に取り囲み内周面に雌ねじが形成されていて棒状中心導体に対し同心的に回転自在な雌ねじ付き外導体と、同軸ケーブル接続部の外周面に雌ねじ付き外導体の基端に対し接離自在に螺合された回り止めと、を含んでおり、雌ねじ付き外導体の雌ねじを第１コネクタ要素の雄ねじ付き外導体の雄ねじに螺合させるとともに棒状中心導体を第１コネクタ要素の中空状中心導体の中央孔に挿入して第１コネクタ要素と電気的に接続される第２コネクタ要素と；相互に異なる所定の厚さを有しており、所望の所定の厚さを提供する１枚又は複数枚の組み合わせが、第１コネクタ要素と第２コネクタ要素とが相互に電気的に接続されている間に第１コネクタ要素の雄ねじ付き外導体の外周面において外方張り出し部と第２コネクタ要素の雌ねじ付き外導体の先端との間に配置されて外方張り出し部と第２コネクタ要素の雌ねじ付き外導体の先端とに挟持される複数枚のスペーサと；を備えていて、第２コネクタ要素において回り止めが雌ねじ付き外導体の基端を押圧して雌ねじ付き外導体の回転移動を阻止する、ことを特徴としている。
【発明の効果】
【００１２】
上述した如く構成された第１コネクタ要素と第２コネクタ要素と複数枚のスペーサとを備えているだけの同軸ケーブル接続／位相調整装置は、構成が簡素で安価である。
【００１３】
しかも、高周波の位相の精密な調整は、所望の所定の厚さを提供する１枚のスペーサ又は複数枚のスペーサの組み合わせを第１コネクタ要素の雄ねじ付き外導体の外周面において外方張り出し部と第２コネクタ要素の雌ねじ付き外導体の先端との間に配置して外方張り出し部と第２コネクタ要素の雌ねじ付き外導体の先端とに挟持させるだけで容易に行なうことが出来る。精密な種々の厚さのスペーサは、容易に調達することが出来る。
【００１４】
そして、第２コネクタ要素において回り止めを雌ねじ付き外導体の基端に対し押圧させることにより、使用中に長期間にわたり雌ねじ付き外導体の回転移動が阻止されて位相の精密な調整を維持することが出来る。
【発明を実施するための最良の形態】
【００１５】
図１の（Ａ）及び（Ｂ）中に図示されている如く、この発明の一実施の形態に従った同軸ケーブル接続／位相調整装置は、図示されていない第１同軸ケーブルに接続されている第１コネクタ要素１０と、図示されていない第２同軸ケーブルに接続されており第１コネクタ要素１０と着脱可能に接続される第２コネクタ要素１２と、を備えている。
【００１６】
第１コネクタ要素１０は、前述した図示されていない第１同軸ケーブルに接続される同軸ケーブル接続部１０ａと、前述した図示されていない第１同軸ケーブルの中心導体に電気的に接続され同軸ケーブル接続部１０ａから軸方向に突出した中空状中心導体１０ｂと、前述した図示されていない第１同軸ケーブルの外導体に電気的に接続され同軸ケーブル接続部１０ａから軸方向に突出し中空状中心導体１０ｂを同心的に取り囲み外周面に雄ねじが形成されている雄ねじ付き外導体１０ｃと、雄ねじ付き外導体１０ｃの外周面の基部に設けられ雄ねじ付き外導体１０ｃの半径方向の外方に張り出した外方張り出し部１０ｄと、を含んでいる。
【００１７】
第２コネクタ要素１２は、前述した図示されていない第２同軸ケーブルに接続される同軸ケーブル接続部１２ａと、前述した図示されていない第２同軸ケーブルの中心導体に電気的に接続され同軸ケーブル接続部１２ａから軸方向に突出した棒状中心導体１２ｂと、前述した図示されていない第２同軸ケーブルの外導体に電気的に接続され同軸ケーブル接続部１２ａから軸方向に突出し棒状中心導体１２ｂを同心的に取り囲み内周面に雌ねじが形成されていて棒状中心導体１２ｂに対し同心的に回転自在な雌ねじ付き外導体１２ｃと、同軸ケーブル接続部１２ａの外周面に雌ねじ付き外導体１２ｃの基端に対し接離自在に螺合された回り止め１２ｄと、を含んでいる。
【００１８】
第２のコネクタ要素１２は、図２中に図示されている如く、雌ねじ付き外導体１２ｃの内周面の雌ねじを第１のコネクタ要素１０の雄ねじ付き外導体１０ｃの外周面の雄ねじに螺合させるとともに棒状中心導体１２ｂを第１のコネクタ要素１０の中空状中心導体１０ｂの中央孔に挿入して第１のコネクタ要素１０と電気的に接続される。
【００１９】
この発明の一実施の形態に従った同軸ケーブル接続／位相調整装置はさらに、図３及び図５中に図示されている如く、相互に異なる所定の厚さを有していて、第１コネクタ要素１０と第２コネクタ要素１２とが相互に電気的に接続されている間に第１コネクタ要素１０の雄ねじ付き外導体１０ｃの外周面において外方張り出し部１０ｄと第２コネクタ要素１２の雌ねじ付き外導体１２ｃの先端との間に配置される複数枚のスペーサ１４ａ，１４ｂ，１４ｃ，１４ｄ，…を含んでいる。
【００２０】
複数枚のスペーサ１４ａ，１４ｂ，１４ｃ，１４ｄ，…の夫々は、環形状を有していることができるし、環形状の一部が切り欠かれた形状（例えば、Ｃ字形状）を有していることが出来る。
【００２１】
複数枚のスペーサ１４ａ，１４ｂ，１４ｃ，１４ｄ，…は、所望の厚さの一枚、又は所望の厚さの複数枚の組み合わせを、図３中に図示されている如く、又は図５中に図示されている如く、第１コネクタ要素１０と第２コネクタ要素１２とが前述した如く相互に電気的に接続されている間に第１コネクタ要素１０の雄ねじ付き外導体１０ｃの外周面において外方張り出し部１０ｄと第２コネクタ要素１２の雌ねじ付き外導体１２ｃの先端との間に配置され、さらに、第２コネクタ要素１２の雌ねじ付き外導体１２ｃを第１コネクタ要素１０の雄ねじ付き外導体１０ｃの外周面の雄ねじ上で外方張り出し部１０ｄに向かい回転させながら移動させることにより、図４中に図示されている如く、又は図５中に図示されている如く、第１コネクタ要素１０の雄ねじ付き外導体１０ｃの外周面において外方張り出し部１０ｄと第２コネクタ要素１２の雌ねじ付き外導体１２ｃの先端とに挟持される。
【００２２】
最後に、第２コネクタ要素１２において回り止め１２ｄが雌ねじ付き外導体１２ｃの基端を押圧して雌ねじ付き外導体１２ｃの回転移動を阻止する。
【００２３】
環形状または環形状の一部が切り欠かれた形状を有している複数枚のスペーサ１４ａ，１４ｂ，１４ｃ，１４ｄ，…の夫々は夫々の厚さを容易に精密に設定することができる。
【００２４】
従って、図３中に図示されている如く、又は図５中に図示されている如く、第１コネクタ要素１０と第２コネクタ要素１２とが前述した如く相互に電気的に接続されている間に第１コネクタ要素１０の雄ねじ付き外導体１０ｃの外周面において外方張り出し部１０ｄと第２コネクタ要素１２の雌ねじ付き外導体１２ｃの先端との間に複数枚のスペーサ１４ａ，１４ｂ，１４ｃ，１４ｄ，…の中の所望の厚さの一枚、又は所望の厚さの複数枚の組み合わせを配置させ、さらに、第２コネクタ要素１２の雌ねじ付き外導体１２ｃを第１コネクタ要素１０の雄ねじ付き外導体１０ｃの外周面の雄ねじ上で外方張り出し部１０ｄに向かい回転させながら移動させることにより、図４中に図示されている如く、又は図５中に図示されている如く、外方張り出し部１０ｄと第２コネクタ要素１２の雌ねじ付き外導体１２ｃの先端とによって、複数枚のスペーサ１４ａ，１４ｂ，１４ｃ，１４ｄ，…の中の所望の厚さの一枚、又は所望の厚さの複数枚の組み合わせを挟持させれば、第１コネクタ要素１０の中空状中心導体１０ｂに対する第２コネクタ要素１２の棒状中心導体１２ｂの挿入深さを精密に調整することが出来る。
【００２５】
第１コネクタ要素１０の中空状中心導体１０ｂに対する第２コネクタ要素１２の棒状中心導体１２ｂの挿入深さの変動、即ち、第１コネクタ要素１０の外方張り出し部１０ｄと第２コネクタ要素１２の雌ねじ付き外導体１２ｃの先端との間に挟持される複数枚のスペーサ１４ａ，１４ｂ，１４ｃ，１４ｄ，…の中の所望の厚さの一枚又は所望の厚さの複数枚の組み合わせが提供する長さΔＬ（ｍｍ）の変動、は、第１コネクタ要素１０の中空状中心導体１０ｂ及び第２コネクタ要素１２の棒状中心導体１２ｂを流れる高周波（波長λｍｍ）に（ΔＬ×３６０）／λdegの位相の変化を生じさせる。
【図面の簡単な説明】
【００２６】
【図１】（Ａ）は、この発明の一実施の形態に従った同軸ケーブル接続／位相調整装置を、第１コネクタ要素と第２コネクタ要素とを相互に分離した状態で概略的に示す側面図であり、  （Ｂ）は、（Ａ）の同軸ケーブル接続／位相調整装置の第１コネクタ要素及び第２コネクタ要素の概略的な縦断面図である。
【図２】図１（Ａ）の同軸ケーブル接続／位相調整装置を、第１コネクタ要素と第２コネクタ要素とを相互に結合した状態で概略的に示す縦断面図である。
【図３】図１（Ａ）の同軸ケーブル接続／位相調整装置において、第１コネクタ要素と第２コネクタ要素とを流れる高周波の位相を調整する為に第１コネクタ要素と第２コネクタ要素との間に所定の厚さの１枚のスペーサが介在される様子を、第１コネクタ要素と第２コネクタ要素とを相互に分離した状態で概略的に示す側面図である。
【図４】図３の同軸ケーブル接続／位相調整装置において、第１コネクタ要素と第２コネクタ要素との間に所定の厚さの１枚のスペーサを介在させて第１コネクタ要素と第２コネクタ要素とを相互に結合させた状態を概略的に示す側面図である。
【図５】図１（Ａ）の同軸ケーブル接続／位相調整装置において、第１コネクタ要素と第２コネクタ要素とを流れる高周波の位相を調整する為に第１コネクタ要素と第２コネクタ要素との間に相互に異なる所定の厚さの複数枚のスペーサを組み合わせて介在させて第１コネクタ要素と第２コネクタ要素とを相互に結合させた状態を概略的に示す側面図である。
【符号の説明】
【００２７】
１０…第１コネクタ要素、１０ａ…同軸ケーブル接続部、１０ｂ…中空状中心導体、１０ｃ…雄ねじ付き外導体、１０ｄ…外方張り出し部、１２…第２コネクタ要素、１２ａ…同軸ケーブル接続部、１２ｂ…棒状中心導体、１２ｃ…雌ねじ付き外導体、１２ｄ…回り止め、１４ａ，１４ｂ，１４ｃ，１４ｄ…スペーサ。
【図１】
2009245619.tif 000003
【図２】
2009245619.tif 000004
【図３】
2009245619.tif 000005
【図４】
2009245619.tif 000006
【図５】
2009245619.tif 000007